(57)【要約】  中心軸線(C1)に平行に見たときに、３つのＬＥＤ基板(4) が、前記中心軸線(C1)を取り囲む正三角形(T) を構成し、前記中心軸線(C1)に対して等距離に配置される。前記中心軸線(C1)に平行に見たときに、各前記ＬＥＤ基板(4) の外面(4a)において、前記外面(4a)に対する法線であって前記中心軸線(C1)を通る基準法線(BN)を挟んだ両側の一対の配置位置(Q1)に、少なくとも１つずつのＬＥＤ(8) が配置される。前記ＬＥＤ(8) は、前記外面(4a)と直交する光軸(8a)を有する。前記中心軸線(C1)に平行に見たときに、各前記ＬＥＤ基板(4) の前記一対の配置位置(Q1)の前記ＬＥＤ(8) からの放射光が、光学系(K) によって、前記基準法線(BN)を挟んだ両側において前記中心軸線(C1)を通る一対の放光基準線(RB)に対してそれぞれ平行で、且つ対応する前記放光基準線(RB)をそれぞれ内包する放出平行光(RPL) に変換されて放光される。
2021038809.tif 000002
【特許請求の範囲】
【請求項１】
中心軸線の周囲に向けて前記中心軸線から離れる放射状に放光する表示灯であって、
前記中心軸線に平行に見たときに、前記中心軸線を取り囲む正三角形を構成し前記中心軸線に対して等距離に配置される３つのＬＥＤ基板と、
前記中心軸線に平行に見たときに、各前記ＬＥＤ基板の外面において各前記ＬＥＤ基板の前記外面に対する法線であって前記中心軸線を通る基準法線を挟んだ両側の一対の配置位置に少なくとも１つずつが配置されており、各前記ＬＥＤ基板の前記外面と直交する光軸を有するＬＥＤと、
前記中心軸線に平行に見たときに、各前記ＬＥＤ基板の前記一対の配置位置のＬＥＤからの放射光を各前記ＬＥＤ基板の前記基準法線を挟んだ両側において前記中心軸線を通る一対の放光基準線に対してそれぞれ平行で、且つ対応する前記放光基準線をそれぞれ内包する放出平行光に変換して放光する光学系と、を備える、表示灯。
【請求項２】
前記光学系が、前記中心軸線を中心とする環状に配置されており、前記中心軸線に対して平行に延びる６つの柱状レンズを含み、
前記６つの柱状レンズが、前記３つのＬＥＤ基板の前記一対の配置位置のＬＥＤからの放射光をそれぞれ入射し、前記中心軸線に平行に見たときに、それぞれ対応する放光基準線に対して平行であるか又は前記対応する放光基準線に対して傾斜する出射平行光を出射する、請求項１に記載の表示灯。
【請求項３】
前記６つの柱状レンズが、互いの間に隙間を設けて配置されている、請求項２に記載の表示灯。
【請求項４】
前記中心軸線に平行に見たときに、前記正三角形の頂点の外接円が、前記６つの柱状レンズと交差する、請求項３に記載の表示灯。
【請求項５】
前記３つのＬＥＤ基板及び前記６つの柱状レンズを取り囲んでおり、前記中心軸線を中心とする筒状の透光性のグローブを備え、
前記グローブと前記柱状レンズとが一体に形成されている、請求項２から４の何れか一項に記載の表示灯。
【請求項６】
前記３つのＬＥＤ基板及び前記６つの柱状レンズを取り囲んでおり、前記中心軸線を中心とする筒状の透光性のグローブを備え、
前記光学系が、前記グローブに設けられ、前記柱状レンズからの出射光を前記グローブの周方向に拡散させる拡散レンズと、前記グローブに設けられ、前記柱状レンズからの出射光が中心軸線と平行な方向に拡がることを抑制する集光レンズと、を含む、請求項５に記載の表示灯。
【請求項７】
前記グローブが、前記拡散レンズが形成される内周面と前記集光レンズとしてのフレネルレンズが形成される外周面とを有するインナーグローブと、前記インナーグローブ取り囲むアウターグローブと、を含む、請求項６に記載の表示灯。
【請求項８】
前記グローブが、前記集光レンズとしてのフレネルレンズが形成される外周面を有するインナーグローブと、前記拡散レンズが形成される内周面を有し前記インナーグローブ取り囲むアウターグローブと、を含む、請求項６に記載の表示灯。
【請求項９】
前記中心軸線に平行に見たときに、各前記ＬＥＤ基板の前記外面における前記一対の配置位置が、各前記ＬＥＤ基板の前記基準法線に対して対称である、請求項１〜８の何れか一項に記載の表示灯。
【請求項１０】
前記中心軸線に平行に見たときに、各前記ＬＥＤ基板に対する前記一対の放光基準線が、各前記ＬＥＤ基板の前記基準法線に対して対称である、請求項１〜９の何れか一項に記載の表示灯。
【請求項１１】
前記中心軸線に平行に見たときに、各前記ＬＥＤ基板に対する前記一対の放光基準線が、各前記ＬＥＤ基板の前記外面に対して傾斜角度６０°で互いに逆向きに傾斜している、請求項１０に記載の表示灯。
【請求項１２】
前記中心軸線に平行に見たときに、各前記ＬＥＤ基板における前記一対の配置位置が、各前記ＬＥＤ基板に対する前記一対の放光基準線の外側に配置される、請求項１〜１１の何れか一項に記載の表示灯。
【請求項１３】
各前記ＬＥＤ基板の各前記一対の配置位置のそれぞれで、前記中心軸線に平行な方向に複数のＬＥＤが１列に並ぶ、請求項１〜１２の何れか一項に記載の表示灯。
【請求項１４】
前記中心軸線と平行に見たときに、各前記ＬＥＤの有効放射領域が、当該ＬＥＤの光軸が通る中央領域と、前記中央領域に対して前記基準法線側である基準法線側領域と、前記基準法線側領域の反対側の反対側領域と、を含み、
各前記柱状レンズが、対応するＬＥＤから前記基準法線側領域に放射された光を入射し第１出射平行光を出射する第１レンズ部と、前記対応するＬＥＤから前記中央領域に放射された光を入射し第２出射平行光を出射する第２レンズ部と、前記対応するＬＥＤから前記反対側領域に放射された光を入射し第３出射平行光を出射する第３レンズ部と、を含み、
前記第１出射平行光と、前記第２出射平行光と、前記第３出射平行光とが、同じ方向に向いている、請求項１〜１３の何れか一項に記載の表示灯。
【請求項１５】
前記第１レンズ部が、前記基準法線側領域に放射された光を非屈折で入射する第１入射面と、前記第１入射面を透過した光を全反射して第１内部平行光とする放物面である内部反射面と、前記内部反射面からの前記第１内部平行光を第１出射平行光として非屈折で出射する第１出射面と、を含む、請求項１４に記載の表示灯。
【請求項１６】
前記第２レンズ部が、前記中央領域に放射された光を屈折入射して第２内部平行光とする第２入射面と、前記第２入射面からの前記第２内部平行光を屈折出射して第２出射平行光とする第２出射面と、を含む、請求項１４又は１５に記載の表示灯。
【請求項１７】
前記第３レンズ部が、前記反対側領域に放射された光を屈折入射して第３内部平行光とする第３入射面と、前記第３入射面からの前記第３内部平行光を第３出射平行光として非屈折で出射する第３出射面と、を含む、請求項１４〜１６の何れか一項に記載の表示灯。    
【請求項１８】
前記第３入射面が、フレネル面である、請求項１７に記載の表示灯。
【請求項１９】
前記３つのＬＥＤ基板及び前記６つの柱状レンズを取り囲んでおり、前記中心軸線を中心とする筒状の透光性のグローブと、
前記グローブの開口端と連結されるベース部材と、を備え、
前記ベース部材が、前記ＬＥＤ基板の端部を支持するＬＥＤ基板支持部を含む、請求項２から４の何れか一項に記載の表示灯。
【請求項２０】
前記ベース部材に支持される電源基板を備え、
前記３つのＬＥＤ基板の前記端部にそれぞれ配置される３つの第１コネクタと、前記電源基板に配置される３つの第２コネクタとが、基板対基板コネクタとして連結される、請求項１９に記載の表示灯。
【発明の詳細な説明】
【技術分野】
【０００１】
本発明は、機械設備、看板灯に用いられる表示灯に関する。
【背景技術】
【０００２】
特許文献１に開示される疑似回転灯では、円筒状の支持体（例えはフレキシブル基板）の外周面に沿って所定間隔をあけて多数（例えば１０数個）設けられた発光群が、支持体の軸方向に平行に配置された複数（例えば１０個）の発光体を含む。支持体の周方向に隣接する発光群の間は、支軸体の軸方向に平行に延びる板状の仕切り板により仕切られている。【０００３】
前記疑似回転灯では、各発光群毎に発光体が点灯及び消灯されることにより、反射鏡が発光体の周囲を回転しながら、発光体の光を反射させているかのように、観者を錯覚させる。
【先行技術文献】
【特許文献】
【０００４】
【特許文献１】特開２００７−１６５０５７号公報
【発明の概要】
【発明が解決しようとする課題】
【０００５】
しかしながら、多数のＬＥＤを用いるため、部品コスト及び組立コストの増大により、製造コストが高くなる。仮に、コスト低減のためにＬＥＤの数を低減する場合には、視認性が低下する。この種の課題は、疑似回転灯に限らず、一般の表示灯にも存在する。【０００６】
本発明の目的は、視認性が高く、部品点数が少なくて安価な表示灯を提供することである。
【課題を解決するための手段】
【０００７】
本発明は、中心軸線の周囲に向けて前記中心軸線から離れる放射状に放光する表示灯であって、前記中心軸線に平行に見たときに、前記中心軸線を取り囲む正三角形を構成し前記中心軸線に対して等距離に配置される３つのＬＥＤ基板と、前記中心軸線に平行に見たときに、各前記ＬＥＤ基板の外面において各前記ＬＥＤ基板の前記外面に対する法線であって前記中心軸線を通る基準法線を挟んだ両側の一対の配置位置に少なくとも１つずつが配置されており、各前記ＬＥＤ基板の前記外面と直交する光軸を有するＬＥＤと、前記中心軸線に平行に見たときに、各前記ＬＥＤ基板の前記一対の配置位置のＬＥＤからの放射光を各前記ＬＥＤ基板の前記基準法線を挟んだ両側において前記中心軸線を通る一対の放光基準線に対してそれぞれ平行で、且つ対応する前記放光基準線をそれぞれ内包する放出平行光に変換して放光する光学系と、を備える、表示灯を提供する。【０００８】
本構成では、正三角形を構成する３つのＬＥＤ基板のそれぞれにおいて一対の配置位置に配置されるＬＥＤの放射光を、各ＬＥＤ基板に対する基準法線の両側において中心軸線を通る一対の放光基準線にそれぞれ平行で、且つ対応する前記放光基準線をそれぞれ内包する放出平行光に変換して放射状に放光する。このため、表示灯の中心軸線の位置から発光しているように見せかけて視認させることができる。ひいては、少数のＬＥＤ基板と少数のＬＥＤを用いて安価に視認性を高めることができる。【０００９】
本発明の表示灯では、前記光学系が、前記中心軸線を中心とする環状に配置されており、前記中心軸線に対して平行に延びる６つの柱状レンズを含み、前記６つの柱状レンズが、前記３つのＬＥＤ基板の前記一対の配置位置のＬＥＤからの放射光をそれぞれ入射し、前記中心軸線に平行に見たときに、それぞれ対応する放光基準線に対して平行であるか又は前記対応する放光基準線に対して傾斜する出射平行光を出射してもよい。【００１０】
本構成では、各柱状レンズによって、対応する放光基準線に対して平行であるか又は対応する放光基準線に対して傾斜する平行光を得る。このため、中心軸線を通る放光基準線に対して平行な平行光を放光させるための光学設計が容易になる。【００１１】
本発明の表示灯では、前記６つの柱状レンズが、互いの間に隙間を設けて配置されていてもよい。本構成では、柱状レンズ間の対向面の背面を光学要素として利用することが可能となる。【００１２】
本発明の表示灯では、前記中心軸線に平行に見たときに、前記正三角形の頂点の外接円が、前記６つの柱状レンズと交差してもよい。本構成では、小型化を図ることができる。      【００１３】
本発明の表示灯では、前記３つのＬＥＤ基板及び前記６つの柱状レンズを取り囲んでおり、前記中心軸線を中心とする筒状の透光性のグローブを備え、前記グローブと前記柱状レンズとが一体に形成されていてもよい。本構成では、部品点数を削減し製造コストを安くすることができる。【００１４】
本発明の表示灯では、前記３つのＬＥＤ基板及び前記６つの柱状レンズを取り囲んでおり、前記中心軸線を中心とする筒状の透光性のグローブを備え、前記光学系が、前記グローブに設けられ、前記柱状レンズからの出射光を前記グローブの周方向に拡散させる拡散レンズと、前記グローブに設けられ、前記柱状レンズからの出射光が中心軸線と平行な方向に拡がることを抑制する集光レンズと、を含んでいてもよい。本構成では、所要範囲に有効に放光することができる。【００１５】
本発明の表示灯では、前記グローブが、前記拡散レンズが形成される内周面と前記集光レンズとしてのフレネルレンズが形成される外周面とを有するインナーグローブと、前記インナーグローブ取り囲むアウターグローブと、を含んでいてもよい。本構成では、デザイン性を向上することができる。【００１６】
本発明の表示灯では、前記グローブが、前記集光レンズとしてのフレネルレンズが形成される外周面を有するインナーグローブと、前記拡散レンズが形成される内周面を有し前記インナーグローブ取り囲むアウターグローブと、を含んでいてもよい。本構成では、グローブを樹脂成形する場合の製造が容易になる。【００１７】
本発明の表示灯では、前記中心軸線に平行に見たときに、各前記ＬＥＤ基板の前記外面における前記一対の配置位置が、各前記ＬＥＤ基板の前記基準法線に対して対称であってもよい。本構成では、ＬＥＤ基板を好適に共通化することができる。【００１８】
本発明の表示灯では、前記中心軸線に平行に見たときに、各前記ＬＥＤ基板に対する前記一対の放光基準線が、各前記ＬＥＤ基板の前記基準法線に対して対称であってもよい。本構成では、均等な平行光を得ることができる。【００１９】
本発明の表示灯では、前記中心軸線に平行に見たときに、各前記ＬＥＤ基板に対する前記一対の放光基準線が、各前記ＬＥＤ基板の前記外面に対して傾斜角度６０°で互いに逆向きに傾斜していてもよい。本構成では、均等な平行光を得ることができる。【００２０】
本発明の表示灯では、前記中心軸線に平行に見たときに、各前記ＬＥＤ基板における前記一対の配置位置が、各前記ＬＥＤ基板に対する前記一対の放光基準線の外側に配置されてもよい。本構成では、一対の配置位置のＬＥＤ間に距離を確保することができる。このため、製造時において、ＬＥＤ基板に対するＬＥＤの取付が容易になる。【００２１】
本発明の表示灯では、各前記ＬＥＤ基板の各前記一対の配置位置のそれぞれで、前記中心軸線に平行な方向に複数のＬＥＤが１列に並んでいてもよい。本構成では、表示範囲を広くすることができる。【００２２】
本発明の表示灯では、前記中心軸線と平行に見たときに、各前記ＬＥＤの有効放射領域が、当該ＬＥＤの光軸が通る中央領域と、前記中央領域に対して前記基準法線側である基準法線側領域と、前記基準法線側領域の反対側の反対側領域と、を含み、各前記柱状レンズが、対応するＬＥＤから前記基準法線側領域に放射された光を入射し第１出射平行光を出射する第１レンズ部と、前記対応するＬＥＤから前記中央領域に放射された光を入射し第２出射平行光を出射する第２レンズ部と、前記対応するＬＥＤから前記反対側領域に放射された光を入射し第３出射平行光を出射する第３レンズ部と、を含み、前記第１出射平行光と、前記第２出射平行光と、前記第３出射平行光とが、同じ方向に向いていてもよい。【００２３】
本構成では、ＬＥＤからの有効放射領域の光を放射方向に応じたレンズ部によって、同じ方向に向く平行光に変換することができる。【００２４】
本発明の表示灯では、前記第１レンズ部が、前記基準法線側領域に放射された光を非屈折で入射する第１入射面と、前記第１入射面を透過した光を全反射して第１内部平行光とする放物面である内部反射面と、前記内部反射面からの前記第１内部平行光を第１出射平行光として非屈折で出射する第１出射面と、を含んでいてもよい。本構成では、ＬＥＤから基準法線側領域へ放射される光を集光し、内部反射面の全反射によって、基準法線側とは反対側へ導くことができる。【００２５】
本発明の表示灯では、前記第２レンズ部が、前記中央領域に放射された光を屈折入射して第２内部平行光とする第２入射面と、前記第２入射面からの前記第２内部平行光を屈折出射して第２出射平行光とする第２出射面と、を含んでいてもよい。本構成では、ＬＥＤから中央領域に放射される光を集光し、向きを変えることができる。【００２６】
本発明の表示灯では、前記第３レンズ部が、前記反対側領域に放射された光を屈折入射して第３内部平行光とする第３入射面と、前記第３入射面からの前記第３内部平行光を第３出射平行光として非屈折で出射する第３出射面と、を含んでいてもよい。本構成では、ＬＥＤから反対側領域に放射される光を集光し、向きを変えることができる。【００２７】
本発明の表示灯では、前記第３入射面が、フレネル面であってもよい。本構成では、小型化を図ることができる。【００２８】
本発明の表示灯では、前記３つのＬＥＤ基板及び前記６つの柱状レンズを取り囲んでおり、前記中心軸線を中心とする筒状の透光性のグローブと、前記グローブの開口端と連結されるベース部材と、を備え、前記ベース部材が、前記ＬＥＤ基板の端部を支持するＬＥＤ基板支持部を含んでいてもよい。本構成では、３つのＬＥＤ基板を正三角形配置の状態に支持することができる。【００２９】
本発明の表示灯では、前記ベース部材に支持される電源基板を備え、前記３つのＬＥＤ基板の前記端部にそれぞれ配置される３つの第１コネクタと、前記電源基板に配置される３つの第２コネクタとが、基板対基板コネクタとして連結されてもよい。本構成では、電源基板から電線を用いずにＬＥＤ基板に対して電源供給することができる。
【図面の簡単な説明】
【００３０】
【図１】図１は、本発明の第１実施形態に係る表示灯の一部破断正面図である。
【図２】図２は、表示灯の分解斜視図である。
【図３】図３は、表示灯の概略断面図であり、図１のＩＩＩ−ＩＩＩ断面図に相当する。
【図４】図４は、３つのＬＥＤ基板の配置状態の斜視図である。
【図５】図５は、裏側からのＬＥＤ基板の斜視図である。
【図６】図６は、ＬＥＤの放射特性を示す、ＬＥＤ基板の横断面図である。
【図７】図７は、光の配向特性を示す、ＬＥＤ基板と対応する２つの柱状レンズの横断面図である。
【図８】図８は、アウターグローブの一部破断斜視図である。
【図９】図９は、インナーグローブの斜視図である。
【図１０】図１０は、インナーグローブの正面図である。
【図１１】図１１は、ＬＥＤ基板が取り付けられたインナーグローブの断面図であり、図３のＸＩ−ＸＩ断面図に相当する。
【図１２】図１２は、インナーグローブの底面図である。
【図１３】図１３は、下ケースの斜視図である。
【図１４】図１４は、電源基板の斜視図である。
【図１５】図１５は、ホルダの斜視図である。
【図１６】図１６は、電源基板が取り付けられたホルダの斜視図である。
【図１７】図１７は、ホルダとＬＥＤ基板との取付状態の斜視図である。
【図１８】図１８は、本発明の第２実施形態に係る表示灯のグローブの要部の概略断面図である。
【図１９】図１９は、本発明の第３実施形態において、放出平行光と、柱状レンズからの出射平行光との関係を示す模式図である。
【発明を実施するための形態】
【００３１】
以下には、図面を参照して、この発明の実施形態を具体的に説明する。
（第１実施形態）
図１は、本発明の第１実施形態に係る表示灯１の一部破断正面図である。図２は、表示灯１の分解斜視図である。図３は、表示灯１の概略断面図であり、図１のＩＩＩ−ＩＩＩ断面図に相当する。
【００３２】
図１に示すように、表示灯１は、略円筒状に形成されており、上下方向に延びる中心軸線Ｃ１を有している。
【００３３】
図１及び図２に示すように、表示灯１は、アウターグローブ２とインナーグローブ３とで構成されるグローブＧと、３つのＬＥＤ基板４と、ホルダ５と下ケース６とで構成されるベース部材Ｂと、電源基板７とを備える。グローブＧとベース部材Ｂとが、組み合わされて中空の筐体９（図１を参照）が構成される。図示していないが、筐体９内の空間は、ホルダ５によって上下に仕切られる。図示していないが、筐体９内において、ホルダ５の上方の空間に、ＬＥＤ基板が収容され、ホルダ５の下方の空間に、電源基板７が収容される。
【００３４】
図３に示すように、筐体９内に収容される３つのＬＥＤ基板４のそれぞれに、ＬＥＤ８が支持されている。３つのＬＥＤ基板４のＬＥＤ８からの放射光が、中心軸線Ｃ１の周囲に向けて中心軸線Ｃ１から離れる方向に放射状に放光される。
【００３５】
具体的には、図３に示すように、中心軸線Ｃ１に平行に見たときに、中心軸線Ｃ１を通過する６つの放光基準線ＲＢが設定されている。６つの放光基準線ＲＢは、中心軸線Ｃ１の周囲の方向である周囲方向ＣＣに、等角度間隔で配置されている。すなわち、周囲方向ＣＣに隣接する放光基準線ＲＢどうしによって形成される中心角度θが、６０°とされている（θ＝６０°）。表示灯１は、３対の柱状レンズ３３Ａ，３３Ｂと６つの拡散レンズ３７と集光レンズ３８とを含む光学系Ｋによって、６つの放光基準線ＲＢにそれぞれ平行な放出平行光ＲＰＬを外部に放光する。
【００３６】
次いで、ＬＥＤ基板４を説明する。
【００３７】
図４は、３つのＬＥＤ基板４の配置状態の斜視図である。図５は、裏側からのＬＥＤ基板４の斜視図である。図６は、ＬＥＤ８の放射特性を示す、ＬＥＤ基板４の横断面図である。図７は、光の配向特性を示す、ＬＥＤ基板４と対応する一対の柱状レンズ３３Ａ，３３Ｂの横断面図である。
【００３８】
図３に示すように、中心軸線Ｃ１に平行に見たとき、３つのＬＥＤ基板４は、中心軸線Ｃ１を取り囲む正三角形Ｔを構成する。３つのＬＥＤ基板４は、中心軸線Ｃ１から等距離に配置されている。各ＬＥＤ基板４は、外面４ａと、内面４ｂとを含む。
【００３９】
図３及び図６に示すように、中心軸線Ｃ１に平行に見たときに、ＬＥＤ基板４の外面４ａに対する法線であって中心軸線Ｃ１を通る法線が、基準法線ＢＮである。中心軸線Ｃ１に平行に見たときに、ＬＥＤ基板４の外面４ａにおいて、基準法線ＢＮを挟んだ両側の一対の配置位置Ｑ１に、ＬＥＤ８が少なくとも１つずつ配置されている。中心軸線Ｃ１に平行に見たときに、ＬＥＤ基板４の外面４ａにおける一対の配置位置Ｑ１は、基準法線ＢＮに対して対称である。
【００４０】
本実施形態では、図４に示すように、一対の配置位置Ｑ１のそれぞれで、２つのＬＥＤ８が中心軸線Ｃ１と平行に一列に並んでいる。各ＬＥＤ８は、ＬＥＤ基板４の外面４ａと直交する光軸８ａを有している。
【００４１】
図６に示すように、各ＬＥＤ８の有効放射領域Ａが、当該ＬＥＤ８の光軸８ａを含む中央領域ＡＣと、中央領域ＡＣの両側に配置される基準法線側領域Ａ１と反対側領域Ａ２とを含む。基準法線側領域Ａ１は、中央領域ＡＣに対して基準法線ＢＮ側に配置される。反対側領域Ａ２は、中央領域ＡＣに対して基準法線側領域Ａ１の反対側に配置される。
【００４２】
図７に示すように、一対の配置位置Ｑ１に配置されたＬＥＤ８にそれぞれ対応して、光学系Ｋの一対の柱状レンズ３３Ａ，３３Ｂが配置される。
【００４３】
図４及び図５に示すように、ＬＥＤ基板４は、略矩形に形成されている。ＬＥＤ基板４は、上端部４１と、下端部４２、一対の側部４３とを含む。上端部４１は、一対の上角部４４を有している。下端部４２は、一対の下角部４５を有している。
【００４４】
下端部４２には、一対の下角部４５にそれぞれ隣接する一対の凹溝４６が形成されている。一対の凹溝４６は、下方に開放されている。下端部４２には、一対の凹溝４６間で下方に突出する凸部４７が形成されている。
【００４５】
また、下端部４２における内面４ｂには、基板対基板コネクタの一部を構成する第１コネクタ４８が、実装されている。第１コネクタ４８は、ＬＥＤ基板４の内面４ｂに固定される絶縁体４８ａと、絶縁体４８ａにより保持された複数のコンタクト４８ｂとを含む。第１コネクタ４８の下半部は、ＬＥＤ基板４の下端部４２の凸部４７から下方に突出している。
【００４６】
第１コネクタ４８の下半部は、電源基板７に実装された後述する第２コネクタ７１（図２及び図１４を参照）と嵌合接続される。
【００４７】
次いで、アウターグローブ２を説明する。
【００４８】
図８は、アウターグローブ２の一部破断斜視図である。
【００４９】
図８に示すように、アウターグローブ２は、下方に開放する凹形状（概ね筒状）に形成されている。アウターグローブ２は、筒状の周側壁２１と、ドーム状の天壁２２と、周側壁２１の下部で構成される嵌合部２３と、複数の係合突起２４と、複数の位置決めリブ２５とを含む。
【００５０】
アウターグローブ２は、面要素として、外周面２ａと、内周面２ｂと、外上面２ｃと、内上面２ｄ（図１を参照）と、下端面２ｅとを含む。アウターグローブ２の外周面２ａは、周側壁２１の外周面に相当する。アウターグローブ２の内周面２ｂは、周側壁２１の内周面に相当する。図１に示すように、外上面２ｃは、天壁２２の外面に相当する。内上面２ｄは、天壁２２の内面に相当する。
【００５１】
図８に示すように、周側壁２１は、下部に向かって僅かに拡径される筒状に形成される。周側壁２１の下部は、上部よりも大径の嵌合部２３を構成している。嵌合部２３は、下ケース６（図２を参照）に嵌合される。
【００５２】
嵌合部２３における内周面２ｂには、複数の係合突起２４が周方向に離隔して配置されている。係合突起２４は、嵌合部２３の周方向に離隔する第１突起２４ａと第２突起２４ｂとを含む。また、嵌合部２３における内周面２ｂには、複数の位置決めリブ２５が、周方向に離隔して配置されている。位置決めリブ２５は、係合突起２４よりも上位に配置されている。
【００５３】
アウターグローブ２の外周面２ａと内周面２ｂと外上面２ｃと内上面２ｄと下端面２ｅは、係合突起２４等を除いて、平滑な面で形成されており、美観に優れている。アウターグローブ２は、透光性の例えば赤色で形成されており、視認性が高められている。
【００５４】
アウターグローブ２の嵌合部２３が、下ケース６に嵌合されるときに、図示していないが、位置決めリブ２５が、下ケース６の周側壁６１の上端面６１ｃに当接することにより、アウターグローブ２と下ケース６とが、上下（中心軸線Ｃ１と平行な方向）に位置決めされる。また、係合突起２４が、下ケース６の係止溝６５（図１３を参照）に嵌合係止される。
【００５５】
次いで、インナーグローブ３を説明する。
【００５６】
図９は、インナーグローブ３の斜視図である。図１０は、インナーグローブ３の正面図である。図１１は、ＬＥＤ基板４が取り付けられたインナーグローブ３の断面図であり、図３のＸＩ−ＸＩ断面に相当する。図１２は、インナーグローブ３の底面図である。
【００５７】
図９〜図１２に示すように、インナーグローブ３は、周側壁３１と、天壁３２と、３対の柱状レンズ３３Ａ，３３Ｂと、３つのＬＥＤ基板保持部としてのＬＥＤ基板支持リブ３４と、複数の弾性爪３５と、単一の位置決め片３６と、６つの拡散レンズ３７と、集光レンズ３８とを含む。
【００５８】
具体的には、インナーグローブ３は、周側壁３１と天壁３２とで凹形状を形成している。周側壁３１は、天壁３２側に向かって徐々に縮径されている。天壁３２は、ドーム状に形成されている。
【００５９】
インナーグローブ３は、面要素として、外周面３ａ（周側壁３１の外周面に相当）と、内周面３ｂ（周側壁３１の内周面に相当）と、下端面３ｃ（周側壁３１の下端面に相当）と、外上面３ｄ（天壁３２の外面に相当）と、内上面３ｅ（天壁３２の内面に相当）とを含む。
【００６０】
図３及び図７に示すように、光学系Ｋは、各ＬＥＤ基板４の一対の配置位置Ｑ１に配置されたＬＥＤ８にそれぞれ対応する一対の柱状レンズ３３Ａ，３３Ｂを含む。図７に示すように、中心軸線Ｃ１と平行な方向に見たときに、柱状レンズ３３Ａと柱状レンズ３３Ｂとは、ＬＥＤ基板４の基準法線ＢＮに対して対称な形状に形成されている。
【００６１】
以下では、一対の柱状レンズ３３Ａ，３３Ｂを総称して言うときは、単に、柱状レンズ３３と言う。
【００６２】
図３に示すように、中心軸線Ｃ１に平行に見たときに、正三角形Ｔの３つの頂点ＴＳの外接円ＴＳＣが、３対の柱状レンズ３３Ａ，３３Ｂと交差する。
【００６３】
図３に示すように、ＬＥＤ基板４の一対の配置位置Ｑ１に配置されたＬＥＤ８からの放射光が、光学系Ｋの対応する柱状レンズ３３Ａ，３３Ｂと対応する拡散レンズ３７と集光レンズ３８を介して、ＬＥＤ基板４の基準法線ＢＮを挟んだ両側において中心軸線Ｃ１を通る一対の放光基準線ＲＢに対してそれぞれ平行で、且つ対応する放光基準線ＲＢをそれぞれ内包する放出平行光ＲＰＬに変換される。
【００６４】
図７に示すように、中心軸線Ｃ１に平行に見たときに、ＬＥＤ基板４に対する一対の放光基準線ＲＢが、ＬＥＤ基板４の外面４ａに対して傾斜角度βで互いに逆向きに傾斜している。傾斜角度βは、６０°である。また、中心軸線Ｃ１に平行に見たときに、ＬＥＤ基板４における一対の配置位置Ｑ１が、ＬＥＤ基板４に対する一対の放光基準線ＲＢの外側に配置されている。
【００６５】
図１１に示すように、光学系Ｋを構成する柱状レンズ３３Ａ，３３Ｂと拡散レンズ３７と集光レンズ３８とは、インナーグローブ３に一体に設けられている。
【００６６】
柱状レンズ３３Ａ，３３Ｂは、インナーグローブ３の内上面３ｅから下方側（下ケース６側）へ延びる柱状のリブにより形成されている。図７に示すように、一対の柱状レンズ３３Ａ，３３Ｂが、対応するＬＥＤ８の放射光を集光し、対応する放光基準線ＲＢに平行な出射平行光ＰＬに変換する。
【００６７】
各柱状レンズ３３Ａ，３３Ｂは、第１レンズ部１１と、第２レンズ部１２と、第３レンズ部１３とを含む。
【００６８】
図６及び図７に示すように、第１レンズ部１１は、第１入射面１１ａと、内部反射面１１ｂと、第１出射面１１ｃとを含む。第１入射面１１ａは、基準法線側領域Ａ１に放射された光を非屈折で入射する。内部反射面１１ｂは、第１入射面１１ａを透過した光を全反射して第１内部平行光Ｌ１とする放物面である。第１出射面１１ｃは、内部反射面１１ｂからの第１内部平行光Ｌ１を第１出射平行光ＰＬ１として非屈折で出射する。
【００６９】
中心軸線Ｃ１に平行に見たときに、第１出射面１１ｃは、放光基準線ＲＢに平行な接続部１１ｄを介して階段状に配置される一対の平面１１ｅ，１１ｆで形成されている。一対の平面１１ｅ，１１ｆは、第１内部平行光Ｌ１の方向に対して直交する平面である。
【００７０】
一対の平面１１ｅ，１１ｆのうち、第２レンズ部１２側である一方の平面１１ｅが、他方の平面１１ｆよりも、中心軸線Ｃ１側に配置されている。これにより、第１レンズ部１１の小型化を図りつつ、第２レンズ部１２の後述する第２出射面１２ｂに対する、第１出射面１１ｃの接続を容易にしている。
【００７１】
第２レンズ部１２は、第２入射面１２ａと、第２出射面１２ｂとを含む。第２入射面１２ａは、中央領域ＡＣに放射された光を屈折入射し第２内部平行光Ｌ２とする。中心軸線Ｃ１と平行に見たときに、第２出射面１２ｂは、第１レンズ部１１の接続部１１ｄ側に向く平面で形成されている。第２出射面１２ｂは、第２入射面１２ａからの第２内部平行光Ｌ２を屈折出射して第２出射平行光ＰＬ２とする。
【００７２】
第３レンズ部１３は、第３入射面１３ａと、第３出射面１３ｂとを含む。第３入射面１３ａは、反対側領域Ａ２に放射された光を屈折入射し第３内部平行光Ｌ３とする。第３出射面１３ｂは、第３内部平行光Ｌ３の方向と直交する平面で形成されている。第３出射面１３ｂは、第３入射面１３ａからの第３内部平行光Ｌ３を第３出射平行光ＰＬ３として非屈折で出射する。
【００７３】
中心軸線Ｃ１に平行に見たときに、第１レンズ部１１からの第１出射平行光ＰＬ１と、第２レンズ部１２からの第２出射平行光ＰＬ２と、第３レンズ部１３からの第３出射平行光ＰＬ３とは、同じ方向である放光基準線ＲＢの方向に向いている。第１出射平行光ＰＬ１と第２出射平行光ＰＬ２と第３出射平行光ＰＬ３とによって、各柱状レンズ３３Ａ，３３Ｂからの出射平行光ＰＬが構成されている。
【００７４】
図３に示すように、拡散レンズ３７は、インナーグローブ３の内周面３ｂにおいて、各柱状レンズ３３Ａ，３３Ｂからの出射平行光ＰＬが照射される領域に、それぞれ形成されている。拡散レンズ３７は、中心軸線Ｃ１の周囲方向ＣＣに光を拡散させる。図１１に示すように、拡散レンズ３７は、上下方向に延び、図３に示すように、インナーグローブ３の周方向に等間隔で配置された断面半円状の多数の縦リブで形成される。
【００７５】
図９〜図１１に示すように、集光レンズ３８は、インナーグローブ３の外周面３ａにおいて、各柱状レンズ３３Ａ，３３Ｂからの出射平行光ＰＬ（図３を参照）が拡散レンズ３７を介して照射される領域を含む全周に、形成されている。集光レンズ３８は、中心軸線Ｃ１と平行な方向に光が拡がることを抑制する。集光レンズ３８は、環状をなす階段状のフレネルレンズで形成されている。
【００７６】
複数の弾性爪３５と単一の位置決め片３６は、インナーグローブ３の下端面３ｃ（周側壁３１の下端面に相当）から下方に突出形成されている。図１２に示すように、複数の弾性爪３５は、周側壁３１の周方向に等間隔に配置されている。単一の位置決め片３６は、周側壁３１の所定位置に配置されている。
【００７７】
図１１に示すように、各ＬＥＤ基板支持リブ３４は、インナーグローブ３の内上面３ｅから下方側（下ケース６側）へ中心軸線Ｃ１と平行に延びる柱状のリブである。図１２に示すように、３つのＬＥＤ基板支持リブ３４は、中心軸線Ｃ１を中心とする円周上に周方向に等間隔で配置されている。
【００７８】
図１１及び図１２に示すように、各ＬＥＤ基板支持リブ３４の下端部３４ａには、対応する一対のＬＥＤ基板４の一対の上端部４１の隣接する上角部４４（図４を参照）が、それぞれ差し込まれる一対の差し込み溝３４ｂが形成される。このため、インナーグローブ３に３つのＬＥＤ基板４を仮保持する状態で、インナーグローブ３とベース部材Ｂのホルダ５とを組み立てることができ、組立性が向上する。
【００７９】
図１２に示すように、３つのＬＥＤ基板支持リブ３４は、３つのＬＥＤ基板４が構成する正三角形Ｔ（図３を参照）の３つの頂部に、それぞれ配置される。図１１に示すように、各ＬＥＤ基板支持リブ３４が、前記頂部で隣接するＬＥＤ基板４の上端部４１を支持する。このため、構造を簡素化することができる。
【００８０】
光学系Ｋの柱状レンズ３３Ａ，３３ＢとＬＥＤ基板支持リブ３４とが、インナーグローブ３に一体に形成される。このため、ＬＥＤ８と対応する柱状レンズ３３Ａ，３３Ｂとの位置精度を向上することができる。また、製造コストを安くすることができる。
【００８１】
また、柱状レンズ３３Ａ，３３ＢとＬＥＤ基板支持リブ３４とが、インナーグローブ３の天壁３２から中心軸線Ｃ１と平行に延びるリブで形成される。このため、合成樹脂による型成形が容易であり、製造コストを安くすることができる。
【００８２】
図１２に示すように、中心軸線Ｃ１と平行に見たときに、３つのＬＥＤ基板支持リブ３４の外接円Ｃ２が、３対の柱状レンズ３３Ａ，３３Ｂと交差している。これにより、共通のＬＥＤ基板４を用いるという条件下で、インナーグローブ３の小型化及び表示灯１の小型化を図ることができる。換言すると、表示灯１において、外径の異なる種々の仕様に対して、ＬＥＤ基板４の共通化を図ることができる。このため、量産効果により製造コストを安くすることができる。
【００８３】
図示していないが、３つのＬＥＤ基板支持リブ３４の内接円Ｃ３が、３対の柱状レンズ３３Ａ，３３Ｂと交差するレイアウトを採用してもよい。この場合、共通のＬＥＤ基板４を用いてインナーグローブ３をより小型化し、ひいては表示灯１をより小型化する仕様に対応することができる。この場合において、３つのＬＥＤ基板支持リブ３４の外接円Ｃ２は、３対の柱状レンズ３３Ａ，３３Ｂと交差してもよいし、交差しなくてもよい。
【００８４】
次いで、下ケース６を説明する。
【００８５】
図１３は、下ケース６の斜視図である。図１３に示すように、下ケース６は、円筒状の周側壁６１と、円板状の底壁６２と、外向きの環状フランジ６３と、機器取付用の複数のねじボス部６４と、アウターグローブ２を係止するための複数の係止溝６５と複数の係止突起６６と、ホルダ５を係止するための複数の係止突起６７とを含む。
【００８６】
周側壁６１は、外周面６１ａと、内周面６１ｂと、環状の上端面６１ｃとを含む。環状フランジ６３は、周側壁６１の下部における外周面６１ａから径方向外向きに突出形成されている。周側壁６１の外周面６１ａには、環状フランジ６３に隣接して、環状のシール部材（図示せず）が収容される外周溝からなる収容溝６１ｄが形成されている。
【００８７】
複数の係止突起６６は、周側壁６１の上端面６１ｃに、周方向に離隔して配置されている。複数の係止突起６７は、周側壁６１の内周面６１ｂに、周方向に離隔して配置されている。各係止突起６７は、上下に離隔する上突起６７ａと下突起６７ｂとで形成されている。
【００８８】
図１２に示すように、周側壁６１が、アウターグローブ２の下部の嵌合部２３に挿入嵌合される。図示していないが、周側壁６１にアウターグローブ２が嵌合された状態で、収容溝６１ｄに収容される前記シール部材（図示せず）によって、アウターグローブ２の嵌合部２３における内周面２ｂと下ケース６の周側壁６１の外周面６１ａとの間が封止される。これにより、筐体９の内部の防水性が確保される。
【００８９】
図１３に示すように、各係止溝６５は、周側壁６１の外周面６１ａに形成されるＬ字形の溝である。各係止溝６５は、縦溝部６５ａと、横溝部６５ｂとを含む。縦溝部６５ａは、周側壁６１の上端面６１ｃから下方に延びる。横溝部６５ｂは、縦溝部６５ａの下端から周側壁６１の周方向の一方側に延設される。少なくとも１つの係止溝６５の横溝部６５ｂには、当該横溝部６５ｂの延設端に近接して乗り越え突起６５ｃが配置されている。
【００９０】
図８に示されるアウターグローブ２と図１３に示される下ケース６との取付は下記である。すなわち、アウターグローブ２を下ケース６に対して軸方向に相対移動させることにより、アウターグローブ２の位置決めリブ２５が下ケース６の周側壁６１の上端面６１ｃに当接される。これにより、アウターグローブ２と下ケース６とが、中心軸線Ｃ１と平行な方向に位置決めされる。また、アウターグローブ２の係合突起２４が、縦溝部６５ａを介して横溝部６５ｂ内に挿入される。
【００９１】
次いで、アウターグローブ２を下ケース６に対して相対回転させることにより、アウターグローブ２の位置決めリブ２５が、周側壁６１の対応する係止突起６６に対して周方向に当接し、アウターグローブ２と下ケース６とが周方向に位置決めされる。また、係合突起２４が、横溝部６５ｂの延設端まで移動されて、係合突起２４の第２突起２４ｂが、対応する乗り越え突起６５ｃに対して乗り越え係止する。これにより、アウターグローブ２が下ケース６にロックされる。
【００９２】
次いで、電源基板７を説明する。
【００９３】
図１４は、電源基板７の斜視図である。図１４に示すように、電源基板７は、中心軸線Ｃ１を中心とする略円板状に形成されている。電源基板７は、上面７ａと、下面７ｂと、３つの第２コネクタ７１と、固定ねじ挿通孔７２と、固定ねじ挿通溝７３とを含む。
【００９４】
図示していないが、電源基板７の上面７ａ及び下面７ｂには、ＬＥＤ基板４に対して電源を供給するための電源回路と、電源供給を制御する制御回路とが実装されている。
【００９５】
３つの第２コネクタ７１は、上面７ａに実装されている。３つの第２コネクタ７１は、中心軸線Ｃ１を中心とする環状に配置されている。
【００９６】
電源基板７に実装された３つの第２コネクタ７１に対して、３つのＬＥＤ基板４の第１コネクタ４８の下半部（図４及び図５を参照）が、それぞれ嵌合接続される。これにより、各第１コネクタ４８のコンタクト４８ｂが、対応する第２コネクタ７１のコンタクト（図示せず）と接続される。
【００９７】
固定ねじ挿通孔７２及び固定ねじ挿通溝７３に挿通された固定ねじ（図示せず）が、ホルダ５の第２台座部５４の下面５４ｂ（図１５を参照）のねじボス（図示せず）に対して、ねじ込まれることにより、電源基板７が、ホルダ５の第２台座部５４の下面５４ｂに固定される。
【００９８】
次いで、ホルダ５を説明する。
【００９９】
図１５は、ホルダ５の斜視図である。図１６は、電源基板７が取り付けられたホルダ５の斜視図である。図１７は、ホルダ５とＬＥＤ基板４との取付状態の斜視図である。
【０１００】
図１５に示すように、ホルダ５は、第１円筒部５１と、第２円筒部５２と、環状の第１台座部５３と、円板状の第２台座部５４と、３対のＬＥＤ基板支持リブ５５と、複数の弾性爪挿通溝５６と、位置決め片挿通溝５７と、複数の弾性フック５８と、３つの開口部５９とを含む。
【０１０１】
第１円筒部５１及び第２円筒部５２は、中心軸線Ｃ１を中心とする同心の円筒であり、第２円筒部５２は、第１円筒部５１よりも小径である。
【０１０２】
第１台座部５３は、第１円筒部５１の上端から径方向内向きに延設された環状板で形成されている。第１台座部５３に、複数の弾性爪挿通溝５６と、位置決め片挿通溝５７とが形成されている。複数の弾性爪挿通溝５６は、周方向に等間隔で配置されている。
【０１０３】
第２円筒部５２は、環状の第１台座部５３の内縁部から上方に延設されている。円板状の第２台座部５４は、第１台座部５３の上縁部から径方向内向きに延設されている。第２台座部５４は、ＬＥＤ基板４側の上面５４ａ（第１面）と、下面５４ｂ（第２面）とを有している。
【０１０４】
第２台座部５４に、３つの開口部５９が形成されている。各開口部５９は、正三角形状に配置されている。各開口部５９は、コネクタ挿通部５９ａと、コネクタ挿通部５９ａから両側に延設される一対の基板挿通部５９ｂとを有するＴ字形に形成されている。３つの開口部５９のうち２つの開口部５９のコネクタ挿通部５９ａが、連通溝５９ｃを介して連通されている。
【０１０５】
図１６に示すように、各開口部５９のコネクタ挿通部５９ａの下方に、電源基板７の対応する第２コネクタ７１が配置される。
【０１０６】
各コネクタ挿通部５９ａには、対応するＬＥＤ基板４の第１コネクタ４８の下半部が挿通される。これにより、図示していないが、各ＬＥＤ基板４の第１コネクタ４８が、対応する開口部５９のコネクタ挿通部５９ａを通して、対応する第２コネクタ７１に対して嵌合接続される。また、このとき、図１７に示すように、一対の基板挿通部５９ｂに、対応するＬＥＤ基板４の下端部４２が挿通される。これにより、ＬＥＤ基板４の下端部４２が、ホルダ５に対して、ＬＥＤ基板４と直交する方向に位置決めされる。
【０１０７】
図１５に示すように、３対のＬＥＤ基板支持リブ５５は、第２台座部５４の上面５４ａに突出形成されている。各対のＬＥＤ基板支持リブ５５は、対応する開口部５９を挟んだ両側に配置される。
【０１０８】
各ＬＥＤ基板支持リブ５５は、正三角形Ｔ（図３を参照）の対応する辺に平行で互いに離隔する一対の第１リブ５５ａと、一対の第１リブ５５ａ間を直交状に接続する第２リブ５５ｂとを含む。一対の第１リブ５５ａと第２リブ５５ｂとは、平面視でＨ形状を形成している。第２リブ５５ｂは、第２台座部５４の上面５４ａからの高さが、第１リブ５５ａの高さよりも低くされている。
【０１０９】
図１６及び図１７に示すように、各ＬＥＤ基板４の下端部４２の各凹溝４６（図４を参照）に対して、対応するＬＥＤ基板支持リブ５５の第２リブ５５ｂが差し込まれる。これにより、中心軸線Ｃ１と平行に見たときに、各ＬＥＤ基板４が、正三角形の対応する辺に沿って移動することが規制される。一対の第１リブ５５ａは、各凹溝４６に対する第２リブ５５ｂの差し込みを案内する機能を果たす。
【０１１０】
また、図１７に示すように、各ＬＥＤ基板４の下端部４２の凸部４７（図４を参照）の一対の縁部が、対応する開口部５９の一対の基板挿通部５９ｂ（図１５を参照）に差し込まれる。
【０１１１】
図示していないが、インナーグローブ３がホルダ５に取り付けられるときに、インナーグローブ３の位置決め片３６が、ホルダ５の第１台座部５３の位置決め片挿通溝５７に挿通可能な位置に、インナーグローブ３が、ホルダ５に対して周方向に正確に位置決めされる。
【０１１２】
図示していないが、位置決め片３６による位置決め状態で、インナーグローブ３の各弾性爪３５が、ホルダ５の第１台座部５３の対応する弾性爪挿通溝５６に挿通される。これにより、弾性爪３５が、弾性爪挿通溝５６の縁部に弾性的に引っ掛け係止される。これにより、インナーグローブ３が、当該インナーグローブ３の下端面３ｃ（周側壁３１の下端面に相当）が第１台座部５３の上面に当接する状態で、ホルダ５に対して係止される。
【０１１３】
図１５に示すように、複数の弾性フック５８は、第１円筒部５１の一部で形成されている。弾性フック５８は、上端を固定端とし下端を自由端とする片持ち状のフックである。弾性フック５８は、矩形の係合溝５８ａを形成している。また、弾性フック５８は、係合溝５８ａの下縁部によって係止縁部５８ｂを形成している。
【０１１４】
図１５に示されるホルダ５を図１３に示される下ケース６に取り付けるときに、図示していないが、ホルダ５の第１円筒部５１が、下ケース６の周側壁６１に挿入嵌合されるに伴って、係止縁部５８ｂが、下ケース６の係止突起６７の上突起６７ａを乗り越え係止し、且つ下ケース６の上突起６７ａが、弾性フック５８の係合溝５８ａに嵌合する。また、ホルダ５の係止縁部５８ｂは、下ケース６の下突起６７ｂによって、下方への移動を規制される。これにより、ホルダ５が、下ケース６に対して位置決め状態で係止される。
【０１１５】
また、表示灯１の組立手順は下記である。すなわち、まず、図１１に示すように、各ＬＥＤ基板４の上端部４１をインナーグローブ３の対応するＬＥＤ基板支持リブ３４に支持する状態で、インナーグローブ３をホルダ５に組み付ける。この組み付け時に、ＬＥＤ基板４の下端部４２をホルダ５の対応するＬＥＤ基板支持リブ５５に支持する。
【０１１６】
ＬＥＤ基板４は、インナーグローブ３のＬＥＤ基板支持リブ３４とホルダ５のＬＥＤ基板支持リブ５５とで、上下に支持されるため、インナーグローブ３及びホルダ５に対して、位置精度良く支持される。
【０１１７】
次いで、ホルダ５の第２台座部５４の下面５４ｂに電源基板７を組み付ける。この組み付けに際して、電源基板７の各第２コネクタ７１と対応するＬＥＤ基板４の第１コネクタ４８とを基板対基板コネクタとして連結する。
【０１１８】
次いで、ホルダ５を下ケース６に組み付け、ベース部材Ｂを構成する。最後に、アウターグローブ２を下ケース６に組み付けて、表示灯１を組み立てる。
【０１１９】
本実施形態では、図３に示すように、正三角形を構成する３つのＬＥＤ基板４のそれぞれにおいて一対の配置位置Ｑ１に配置されるＬＥＤ８の放射光を、各ＬＥＤ基板４に対する基準法線ＢＮの両側において中心軸線Ｃ１を通る一対の放光基準線ＲＢにそれぞれ平行で、且つ対応する放光基準線ＲＢをそれぞれ内包する放出平行光ＲＰＬに変換して放射状に放光する。このため、表示灯１の中心軸線Ｃ１の位置から発光しているように見せかけて視認させることができる。ひいては、少数のＬＥＤ基板４と少数のＬＥＤ８を用いて安価に視認性を高めることができる。
【０１２０】
また、図３及び図７に示すように、光学系Ｋが、中心軸線Ｃ１を中心とする環状に配置された３対の柱状レンズ３３Ａ，３３Ｂを含む。各対の柱状レンズ３３Ａ，３３Ｂが、対応するＬＥＤ基板４の一対の配置位置Ｑ１のＬＥＤ８からの放射光をそれぞれ入射し、中心軸線Ｃ１に平行に見たときに、それぞれ対応する放光基準線ＲＢに対して平行な出射平行光ＰＬを出射する。このため、中心軸線Ｃ１を通る放光基準線ＲＢに対して平行な平行光ＰＬを放光させるための光学設計が容易になる。
【０１２１】
また、各柱状レンズ３３Ａ，３３Ｂが、互いの間に隙間を設けて配置されている。このため、柱状レンズ３３Ａ，３３Ｂ間の対向面の背面を光学要素（具体的には、第１レンズ部１１の内部反射面１１ｂ）として利用することが可能となる。このため、設計の自由度が増大する。
【０１２２】
また、図３に示すように、中心軸線Ｃ１に平行に見たときに、正三角形Ｔの頂点ＴＳの外接円ＴＳＣが、３対の柱状レンズ３３Ａ，３３Ｂと交差する。この場合、共通のＬＥＤ基板４を用いるという条件下で、インナーグローブ３の小型化及び表示灯１の小型化を図ることができる。換言すると、外径の異なる種々の仕様の表示灯１において、ＬＥＤ基板４を共通化することができ、量産効果により全体として製造コストを安くすることができる。
【０１２３】
また、３つのＬＥＤ基板４及び３対の柱状レンズ３３Ａ，３３Ｂを取り囲み中心軸線Ｃ１を中心とする筒状の透光性のインナーグローブ３（グローブＧ）を備える。インナーグローブ３と柱状レンズ３３Ａ，３３Ｂとが一体に形成されている。このため、部品点数を削減し製造コストを安くすることができる。
【０１２４】
また、光学系Ｋが、グローブＧに設けられた拡散レンズ３７と集光レンズ３８とを含む。拡散レンズ３７が、柱状レンズ３３Ａ，３３Ｂからの出射光をグローブＧの周方向に拡散させる。集光レンズ３８が、柱状レンズ３３Ａ，３３Ｂからの出射光が中心軸線Ｃ１と平行な方向に拡がることを抑制する。このため、所要範囲に有効に放光することができる。
【０１２５】
具体的には、グローブＧが、拡散レンズ３７が形成される内周面３ｂと集光レンズ３８としてのフレネルレンズが形成される外周面３ａとを有するインナーグローブ３と、インナーグローブ３取り囲むアウターグローブ２とを含む。光学系Ｋがインナーグローブ３に集約され、アウターグローブ２は、外周面２ａと内周面２ｂを平滑な面で形成することができる。このため、デザイン性を向上することができる。
【０１２６】
また、図６及び図７に示すように、中心軸線Ｃ１に平行に見たときに、ＬＥＤ基板４の外面４ａにおける一対の配置位置Ｑ１が、ＬＥＤ基板４の基準法線ＢＮに対して対称な位置である。このため、ＬＥＤ基板４を好適に共通化することができる。
【０１２７】
また、図７に示すように、中心軸線Ｃ１に平行に見たときに、ＬＥＤ基板４に対する一対の放光基準線ＲＢが、ＬＥＤ基板４の基準法線ＢＮに対して対称に配置される。このため、均等な放出平行光ＲＰＬ（図３を参照）を得ることができる。
【０１２８】
また、図７に示すように、中心軸線Ｃ１に平行に見たときに、ＬＥＤ基板４に対する一対の放光基準線ＲＢが、ＬＥＤ基板４の外面４ａに対して傾斜角度βが６０°で互いに逆向きに傾斜している。このため、均等な放出平行光ＲＰＬ（図３を参照）を得ることができる。
【０１２９】
また、図７に示すように、中心軸線Ｃ１に平行に見たときに、ＬＥＤ基板４における一対の配置位置Ｑ１が、ＬＥＤ基板４に対する一対の放光基準線ＲＢの外側に配置されている。このため、一対の配置位置Ｑ１のＬＥＤ８間に距離を確保することができる。このため、製造時において、ＬＥＤ基板４に対するＬＥＤ８の取付が容易になる。
【０１３０】
また、図４に示すように、ＬＥＤ基板４の一対の配置位置Ｑ１のそれぞれで、中心軸線Ｃ１に平行な方向に複数のＬＥＤ８が１列に並んでいる。このため、表示範囲を広くすることができる。
【０１３１】
また、図６に示すように、中心軸線Ｃ１と平行に見たときに、各ＬＥＤ８の有効放射領域Ａが、ＬＥＤ８の光軸８ａが通る中央領域ＡＣと、中央領域ＡＣに対して基準法線ＢＮ側である基準法線側領域Ａ１と、基準法線側領域Ａ１の反対側の反対側領域Ａ２とを含む。また、図７に示すように、各柱状レンズ３３Ａ，３３Ｂが、第１レンズ部１１と、第２レンズ部１２と、第３レンズ部１３とを含む。
【０１３２】
第１レンズ部１１が、対応するＬＥＤ８から基準法線側領域Ａ１に放射された光を入射し第１出射平行光ＰＬ１を出射する。第２レンズ部１２が、対応するＬＥＤ８から中央領域ＡＣに放射された光を入射し第２出射平行光ＰＬ２を出射する。第３レンズ部１３が、対応するＬＥＤ８から反対側領域Ａ２に放射された光を入射し第３出射平行光ＰＬ３を出射する。第１出射平行光ＰＬ１と、第２出射平行光ＰＬ２と、第３出射平行光ＰＬ３とが、同じ方向に向く。このため、ＬＥＤ８からの有効放射領域の光を放射方向に応じたレンズ部１１〜１３によって、同じ方向に向く出射平行光ＰＬ１〜ＰＬ３に変換することができる。
【０１３３】
また、第１レンズ部１１が、第１入射面１１ａと、内部反射面１１ｂと、第１出射面１１ｃとを含む。第１入射面１１ａが、基準法線側領域Ａ１に放射された光を非屈折で入射する。内部反射面１１ｂは、第１入射面１１ａを透過した光を全反射して第１内部平行光Ｌ１とする放物面である。第１出射面１１ｃは、内部反射面１１ｂからの第１内部平行光Ｌ１を第１出射平行光ＰＬ１として非屈折で出射する。このため、ＬＥＤ（から基準法線側領域Ａ１へ放射される光を集光し、内部反射面１１ｂの全反射によって、基準法線ＢＮ側とは反対側へ導くことができる。
【０１３４】
また、第２レンズ部１２が、第２入射面１２ａと、第２出射面１２ｂとを含む。第２入射面１２ａは、中央領域ＡＣに放射された光を屈折入射して第２内部平行光Ｌ２とする。第２出射面１２ｂは、第２入射面１２ａからの第２内部平行光Ｌ２を屈折出射して第２出射平行光ＰＬ２とする。このため、ＬＥＤ８から中央領域ＡＣに放射される光を集光し、向きを変えることができる。
【０１３５】
また、第３レンズ部１３が、第３入射面１３ａと、第３出射面１３ｂとを含む。第３入射面１３ａが、反対側領域Ａ２に放射された光を屈折入射して第３内部平行光Ｌ３とする。第３出射面１３ｂが、第３入射面１３ａからの第３内部平行光Ｌ３を第３出射平行光ＰＬ３として非屈折で出射する。このため、ＬＥＤ８から反対側領域Ａ２に放射される光を集光し、向きを変えることができる。
【０１３６】
また、第３入射面１３ａが、フレネル面である。このため、柱状レンズ３３Ａ，３３Ｂの小型化を図ることができる。
【０１３７】
また、図２及び図１１に示すように、３つのＬＥＤ基板４及び３対の柱状レンズ３３Ａ，３３Ｂを取り囲むグローブＧと、グローブＧの開口端と連結されるベース部材Ｂとを備える。ベース部材Ｂが、ＬＥＤ基板４の下端部４２を支持するＬＥＤ基板支持リブ５５を含む。このため、３つのＬＥＤ基板４を正三角形配置の状態に支持することができる。
【０１３８】
また、ベース部材Ｂ（具体的には、ホルダ５）に支持される電源基板７を備える。３つのＬＥＤ基板４の下端部４２にそれぞれ配置される３つの第１コネクタ（図５を参照）と、電源基板７に配置される３つの第２コネクタ７１（図１４及び図１７を参照）とが、基板対基板コネクタとして連結される。このため、電源基板７から電線を用いずにＬＥＤ基板４に対して電源供給することができる。このため、構造を簡素化することができる。
（第２実施形態）
図１８は、本発明の第２実施形態に係る表示灯１のグローブＧの縦断面図である。
【０１３９】
図１８の第２実施形態では、グローブＧが、集光レンズ３８としてのフレネルレンズが形成される外周面２ａを有するインナーグローブ３と、拡散レンズ２６が形成される内周面２ｂを有しインナーグローブ３を取り囲むアウターグローブ２とを含む。
【０１４０】
集光レンズ３８は、中心軸線Ｃ１と平行な方向に光が拡がることを抑制する。集光レンズ３８は、環状をなす階段状のフレネルレンズで形成されている。拡散レンズ２６は、集光レンズ３８から入射される光を中心軸線Ｃ１の周囲方向ＣＣに拡散させるように出射させる。
【０１４１】
インナーグローブ３の内周面３ｂは、平滑な面で形成される。アウターグローブ２の外周面２ａは、平滑な面で形成され、デザイン性に優れる。
【０１４２】
アウターグローブ２の拡散レンズ２６は、第１実施形態のインナーグローブ３の拡散レンズ３７と同じ構成であり、中心軸線Ｃ１と平行に延びる断面半円状の縦リブで形成される。インナーグローブ３の柱状レンズ３３と集光レンズ３８と、アウターグローブ２の拡散レンズ２６とによって、光学系Ｋが構成される。
【０１４３】
本実施形態では、フレネルレンズをグローブＧの内周面（アウターグローブ２の内周面２ｂ及びインナーグローブ３の内周面３ｂ）に形成しないので、グローブＧを樹脂成形する場合の製造が容易になる。また、設計の自由度を向上することができる。
（第３実施形態）
図１９は、本発明の第３実施形態において、放出平行光ＲＰＬと、柱状レンズ３３からの出射平行光ＰＬとの関係を示す模式図である。
【０１４４】
図１９に示すように、柱状レンズからの出射平行光ＰＬが、放光基準線ＲＢに対して傾斜している。柱状レンズからの出射平行光ＰＬは、第１実施形態と同じ構成の拡散レンズ３７（又は第２実施形態と同じ構成の拡散レンズ２６）によって、周囲方向ＣＣに拡散されつつ、放光基準線ＲＢに対して平行な放出平行光ＲＰＬに変換される。本実施形態では、設計の自由度を向上することができる。
【０１４５】
また、本発明において、アウターグローブ２を無くし、インナーグローブ３によって表示灯１の外郭の一部を構成するようにしてもよい。
【０１４６】
また、中心軸線Ｃ１に平行に見たときに、ＬＥＤ基板４に対する一対の放光基準線ＲＢが、ＬＥＤ基板４の外面４ａに対してなす傾斜角度β（図７を参照）は、６０°より大きくてもよいし、６０°より小さくてもよい。
【０１４７】
また、図示していないが、ＬＥＤ基板４の一対の配置位置Ｑ１のそれぞれで、中心軸線Ｃ１に平行な方向に３つ以上のＬＥＤ８が１列に並んで配置されてもよい（図４を参照）。
【０１４８】
また、本発明の表示灯１では、各配置位置Ｑ１のＬＥＤ８を点灯及び消灯させる制御を、中心軸線Ｃ１の周囲方向ＣＣに隣り合うＬＥＤ８に対して順次に行うことにより、疑似回転灯として機能させてもよい。
【０１４９】
以上、本発明を具体的な態様により詳細に説明したが、上記の内容を理解した当業者は、その変更、改変及び均等物を容易に考えられるであろう。したがって、本発明はクレームの範囲とその均等の範囲とするべきである。
【符号の説明】
【０１５０】
１…表示灯
２…アウターグローブ
２ａ…外周面
２ｂ…内周面
３…インナーグローブ
３ａ…  外周面
３ｂ…内周面
４…ＬＥＤ基板
４ａ…  外面
５…ホルダ
６…下ケース
７…電源基板
８…ＬＥＤ
８ａ…  光軸
１１…第１レンズ部
１１ａ…第１入射面
１１ｂ…内部反射面
１１ｃ…第１出射面
１２…第２レンズ部
１２ａ…第２入射面
１２ｂ…第２出射面
１３…第３レンズ部
１３ａ…第３入射面
１３ｂ…第３出射面
３１…周側壁
３２…天壁
３３Ａ…柱状レンズ
３３Ｂ…柱状レンズ
３４…ＬＥＤ基板支持リブ
３４ａ…下端部
３４ｂ…差し込み溝
４１…上端部（一端部）
４２…下端部（他端部）
４４…上角部
４５…下角部
４８…第１コネクタ
５１…第１円筒部
５２…第２円筒部
５３…第１台座部
５４…第２台座部
５４ａ…上面（第１面）
５４ｂ…下面（第２面）
５５…ＬＥＤ基板支持リブ
５５ａ…第１リブ
５５ｂ…第２リブ
５９…開口部
５９ａ…コネクタ挿通部
５９ｂ…基板挿通部
６１…周側壁
６２…底壁
６３…環状フランジ
７１…第２コネクタ
Ａ…有効放射領域
ＡＣ…中央領域
Ａ１…基準法線側領域
Ａ２…反対側領域
Ｂ…ベース部材
ＢＮ…基準法線
Ｃ１…中心軸線
Ｇ…グローブ
Ｋ…光学系
Ｌ１…第１内部平行光
Ｌ２…第２内部平行光
Ｌ３…第３内部平行光
ＰＬ１…第１出射平行光
ＰＬ２…第２出射平行光
ＰＬ３…第３出射平行光
Ｑ１…配置位置
ＲＢ…放光基準線
ＲＰＬ…放出平行光
Ｔ…正三角形
ＴＳ…頂点
ＴＳＣ…外接円
β…傾斜角度
θ…中心角度
【図１】
2021038809.tif 000003
【図２】
2021038809.tif 000004
【図３】
2021038809.tif 000005
【図４】
2021038809.tif 000006
【図５】
2021038809.tif 000007
【図６】
2021038809.tif 000008
【図７】
2021038809.tif 000009
【図８】
2021038809.tif 000010
【図９】
2021038809.tif 000011
【図１０】
2021038809.tif 000012
【図１１】
2021038809.tif 000013
【図１２】
2021038809.tif 000014
【図１３】
2021038809.tif 000015
【図１４】
2021038809.tif 000016
【図１５】
2021038809.tif 000017
【図１６】
2021038809.tif 000018
【図１７】
2021038809.tif 000019
【図１８】
2021038809.tif 000020
【図１９】
2021038809.tif 000021
【国際調査報告】
2021038809.tif 000022
2021038809.tif 000023
2021038809.tif 000024
2021038809.tif 000025